(57)【要約】【課題】  蒸気損失を発生することのない復水回収装置を提供すること。【解決手段】  復水回収管８を分離タンク９と接続する。分離タンク９の上部に水エゼクタ７を接続し、分離タンク９の下部にエゼクタポンプ４のエゼクタ２を接続する。エゼクタポンプ４を、循環ポンプ１と循環路３とエゼクタ２とで構成する。循環路３を分岐して復水吐出菅５と分岐管６を連通する。分岐管６に水エゼクタ７を接続し、吸引口１２を分離タンク９の上部と連通する。分離タンク９の下部をエゼクタ２の吸引口１３と連通する。  分離タンク９内で高温復水から再蒸発した再蒸発蒸気を、水エゼクタ７の吸引口１２へ吸引することにより、高温復水からの再蒸発蒸気を系外へ排出することがなく、蒸気損失を防止することができる。【選択図】  図１
2014047987.tif 000002
【特許請求の範囲】
【請求項１】
蒸気使用機器で蒸気が凝縮して発生した復水を、復水回収管から復水回収ポンプによって所定の復水回収先へ回収するものにおいて、復水回収ポンプを、循環ポンプとエゼクタを循環路で接続したエゼクタポンプとし、当該循環ポンプの吐出側の循環路の一部を分岐して復水吐出菅を接続して、当該復水吐出菅の出口側を復水回収先と接続すると共に、循環ポンプの吐出側の循環路の一部を別個に分岐して水エゼクタと接続して、当該水エゼクタの吸引口と上記エゼクタの吸引口とを、それぞれ復水回収管と接続し、当該水エゼクタの出口側を復水吐出菅と連通したことを特徴とする復水回収装置。
【発明の詳細な説明】
【技術分野】
【０００１】
本発明は、蒸気使用機器で発生した蒸気の凝縮水としての復水を、蒸気ボイラや給水タンク等の所定の復水回収先へ回収する復水回収装置に関する。
【背景技術】
【０００２】
従来の復水回収装置は、蒸気使用機器の復水出口側を蒸気トラップと復水集合タンクと逆止弁を介して復水圧送部材に接続し、この復水圧送部材の高圧操作流体排出口に圧力制御弁を取り付けたもので、熱エネルギー損失を少なくすることができるものである。
【０００３】
この復水回収装置においては、高圧操作流体排出口から、高圧の操作流体、例えば、高圧蒸気が系外へ排出されることに伴う蒸気損失を発生する問題があった。
【先行技術文献】
【特許文献】
【０００４】
【特許文献１】特開２００８−１７０１２６号公報
【発明の概要】
【発明が解決しようとする課題】
【０００５】
解決しようとする課題は、蒸気損失を発生することのない復水回収装置を提供すること。
【課題を解決するための手段】
【０００６】
本発明は、蒸気使用機器で蒸気が凝縮して発生した復水を、復水回収管から復水回収ポンプによって所定の復水回収先へ回収するものにおいて、復水回収ポンプを、循環ポンプとエゼクタを循環路で接続したエゼクタポンプとし、当該循環ポンプの吐出側の循環路の一部を分岐して復水吐出菅を接続して、当該復水吐出菅の出口側を復水回収先と接続すると共に、循環ポンプの吐出側の循環路の一部を別個に分岐して水エゼクタと接続して、当該水エゼクタの吸引口と上記エゼクタの吸引口とを、それぞれ復水回収管と接続し、当該水エゼクタの出口側を復水吐出菅と連通したものである。
【発明の効果】
【０００７】
本発明の復水回収装置は、水エゼクタの吸引口と、復水回収ポンプのエゼクタの吸引口とを、それぞれ復水回収管と接続したことによって、復水回収管内で高温復水から再蒸発した再蒸発蒸気は、主に水エゼクタの吸引口へ吸引され、復水吐出菅から復水回収先へと供給されることにより、再蒸発蒸気を系外へ排出することがなく、蒸気損失を防止することができる。
【図面の簡単な説明】
【０００８】
【図１】本発明の復水回収装置の実施例を示す構成図。
【発明を実施するための最良の形態】
【０００９】
本発明の復水回収装置は、水エゼクタの吸引口と、復水回収ポンプのエゼクタの吸引口とを、それぞれ復水回収管と接続するものであるが、それぞれの吸引口と復水回収管との間に、復水回収管内の高温復水と再蒸発蒸気を分離する分離タンクを配置することが好適である。分離タンクで復水と再蒸発蒸気が分離され、分離された再蒸発蒸気は水エゼクタの吸引口に吸引され、一方、分離された復水は復水回収ポンプのエゼクタの吸引口に吸引される。
【実施例１】
【００１０】
図１は本実施例の構成図であって、循環ポンプ１とエゼクタ２とを接続する循環路３からなるエゼクタポンプ４と、循環ポンプ１の吐出側を分岐して接続した復水吐出管５と、循環ポンプ１の吐出側を別個に分岐して分岐管６で接続した水エゼクタ７とで復水回収装置を構成する。
【００１１】
図示しない蒸気使用機器と接続した復水回収管８を分離タンク９に連通する。分離タンク９の上部に管路１０を介して水エゼクタ７の吸引口１２を接続する。分離タンク９の下部には管路１１を介してエゼクタ２の吸引口１３を接続する。
【００１２】
分離タンク９は円筒状の密閉タンクとして、図示しない蒸気使用機器で発生した復水を復水回収管８から受け入れて、その内部で復水から再蒸発した再蒸発蒸気と復水とに分離する。
【００１３】
エゼクタポンプ４の循環路３を分岐した復水吐出菅５の出口側すなわち右端部は図示しない復水回収先と接続する。復水吐出菅５には、この復水吐出菅５を流下する復水の量を調節するための流量調節弁１４を取り付ける。
【００１４】
水エゼクタ７と接続した分岐管６にも、流下する復水の量を調節するための流量調節弁１４を取り付ける。水エゼクタ７の出口側は、管路１６を介して復水吐出菅５と連通する。
【００１５】
図示しない蒸気使用機器で蒸気が凝縮して発生した復水は、復水回収管８を通って分離タンク９へ至る。分離タンク９へ至った復水は、分離タンク９内で復水から再蒸発した再蒸発蒸気と再蒸発し切れなかった復水とに分離され、再蒸発蒸気が分離タンク９の上部に溜まり、復水が分離タンク９の下部に溜まる。
【００１６】
エゼクタポンプ４の循環ポンプ１を駆動して、循環路３内に復水を循環させる。循環する復水によって、エゼクタ２で吸引力を発生して吸引口１３から分離タンク９内の下部に溜まった復水を、管路１１を介して吸引する。循環している復水の一部を、流量調節弁１５から分岐管６を経て水エゼクタ７へ供給すると共に、流量調節弁１４から復水吐出菅５を経て図示しない復水回収先へも供給する。
【００１７】
流量調節弁１５から分岐管６を経て水エゼクタ７へ供給する復水によって、水エゼクタ７で吸引力を発生して吸引口１２から分離タンク９の上部に溜まった再蒸発蒸気を、管路１０を介して吸引する。このように、復水回収管８内と分離タンク９内で高温復水から再蒸発した再蒸発蒸気を、水エゼクタ７の吸引口１２へ吸引して、管路１６と復水吐出菅５から復水回収先へと供給することにより、高温復水からの再蒸発蒸気を系外へ排出することがなく、蒸気損失を防止することができる。
【００１８】
分岐管６から水エゼクタ７へ供給する復水の温度をより低くすることによって、水エゼクタ７で発生する吸引力を、より大きなものとすることができるために、分岐管６に図示はしないが多数の冷却フィンを取り付けて、分岐管６を流下する復水の温度を低下させることが望ましい。
【産業上の利用可能性】
【００１９】
本発明は、蒸気使用機器で発生した蒸気の凝縮水としての復水を、蒸気ボイラや給水タンク等の所定の復水回収先へ回収する復水回収装置として利用することができる。
【符号の説明】
【００２０】
１  循環ポンプ
２  エゼクタ
３  循環路
４  エゼクタポンプ
５  復水吐出菅
６  分岐管
７  水エゼクタ
８  復水回収管
９  分離タンク
１２，１３  吸引口
【図１】
2014047987.tif 000003